(57)【要約】【課題】  電磁誘導加熱調理器によって調理する際に、電磁誘導加熱調理器のトッププレート上に敷設して調理鍋からふきこぼれる煮汁によりトッププレートが汚損するのを防止する電磁誘導加熱調理器用シートであって、調理時における高熱によって下面側の空気が膨脹して該シートの一部に空気溜まりによる膨れが生じるのを防止する。【解決手段】  トッププレート11上に剥離可能に敷設するシート本体１に円形孔２を設けてこの円形孔２に露出するトッププレート11の加熱部11a を上記円形孔２の周縁部上面に外周部下面を粘着剤層４を介して接着している防汚マット３によって被覆していると共に、上記粘着剤層４を周方向に断続的に設けて隣接する粘着剤層４、４間に円形孔２内の空間部９から外気に通じる通気空隙部５を設けて、調理時に高熱によって空間部９に発生する空圧等の圧力を通気空隙部５を通じて外部に逃がすように構成している。【選択図】    図５
2010067356.tif 000002
【特許請求の範囲】
【請求項１】
電磁誘導加熱調理器のトッププレートにおける加熱部を被覆可能な大きさに形成されている耐熱性合成樹脂シートからなる防汚マットと、この防汚マットよりも小径で且つ上記加熱部よりも大径の円形孔を設けていると共に上記トッププレート上に剥離可能に敷設するように形成した合成樹脂フィルムからなるシート本体とからなり、このシート本体における上記円形孔の周縁部上面に上記防汚マットの外周部下面を周方向に断続的に固着して、隣接する固着部間における上記円形孔の周縁部上面と上記防汚マットの外周部下面との対向面間に、上記円形孔内の空間部を外気に連通させる通気空隙部を設けていることを特徴とする電磁誘導加熱調理器用シート。
【請求項２】
シート本体における円形孔の周縁部上面に防汚マットの外周部下面を周方向に断続的に固着させている固着部は粘着剤層からなり、隣接する粘着剤層間における上記円形孔の周縁部上面と上記防汚マットの外周部下面との対向面間に、粘着剤層の層厚に等しい通気空隙部を設けていることを特徴とする請求項１に記載の電磁誘導加熱調理器用シート。
【請求項３】
シート本体における円形孔の周縁部上面に防汚マットの外周部下面を周方向に断続的に固着させている固着部は融着部又は耐熱合成樹脂製留具から形成されていて、調理時に発生する円形孔内の空間部の空気膨脹圧により、隣接する固着部間における上記円形孔の周縁部上面と上記防汚マットの外周部下面との対向面間で形成される空気空隙部を拡開させるように構成していることを特徴とする請求項１に記載の電磁誘導加熱調理器用シート。
【請求項４】
シート本体は電磁誘導加熱調理器のトッププレート全体を覆うことができる矩形状合成樹脂フィルムからなり、このシート本体に、トッププレートに設けている複数個の加熱部にそれぞれ対応した複数個の円形孔を設けていることを特徴とする請求項１に記載の電磁誘導加熱調理器用シート。
【請求項５】
シート本体の下面に粘着剤層又は吸着層を介して離型フィルムを剥離可能に貼着していることを特徴とする請求項１又は請求項２に記載の電磁誘導加熱調理器用シート。
【発明の詳細な説明】
【技術分野】
【０００１】
本発明は、電磁誘導加熱調理器のトッププレート上に敷設して、該トッププレートが調理鍋等の容器からふきこぼれる煮汁等により汚損されるのを防止する電磁誘導加熱調理器用シートに関する。
【背景技術】
【０００２】
電磁誘導加熱調理器は周知のように、トッププレートの下側に通電によって磁力線が発生するコイルを配設してこの磁力線によってコイルの上方におけるトッププレート上に載置した金属製の調理鍋等の容器（以下、調理鍋とする）に渦電流を発生させ、該鍋の電気抵抗によって鍋自体を発熱させるように構成されているが、トッププレート上に直接、調理鍋を載置すると、該調理鍋からふきこぼれ煮汁等によってトッププレートにおける鍋底載置面である加熱部が汚損するばかりでなく、調理鍋からの高熱が該加熱部に直接伝達しているから、この高熱によって煮汁等の付着物が固化してトッププレート上に盛り上がった状態で固着し、これを除去するにはスクレーパなどの刃先によって削ぎ落とす必要が生じてその作業に手間を要するばかりでなくトッププレートの表面を傷つける虞れがある。    
【０００３】
このため、例えば、特許文献１に記載されているように、電磁誘導加熱調理器のトッププレートを全面的に覆うことができる耐熱性を有する合成樹脂シートからなる防汚シートが開発されている。この防汚シートは、電磁誘導加熱調理器の加熱部に対応する部分に円形孔を設け、この円形孔から電磁誘導加熱調理器の加熱部を露出させた状態にして該防汚シートをトッププレート上に敷設し、上記円形孔から露出している加熱部上に調理鍋を載置して加熱調理を行うように構成している。また、この特許文献１には、上記円形孔を設けることなく、トッププレートを裏面全面によって被覆可能にし、且つ、加熱部に相当する部分を除いてその裏面に、粘着剤層を設けてこの粘着剤層を介してトッププレート上に剥離可能に敷設する耐熱性防汚シートも開示されている。
【０００４】
【特許文献１】特開２００４−２０７１２１号公報
【発明の開示】
【発明が解決しようとする課題】
【０００５】
しかしながら、電磁誘導加熱調理器の加熱部に対応する部分に円形孔を設けている防汚シートによれば、調理中に鍋から煮汁がこぼれると、この煮汁が鍋を伝って鍋底に達し、その鍋底の外底面を伝って流動しながら上記円形孔から露出している加熱部上に滴下する事態が発生してトッププレートの汚損を確実に防止することができず、また、煮汁が上記円形孔から外周方の防汚シート上に吹きこぼれた場合においても、上記トッププレート上に直接、こぼれ落ちのを一旦は防止することができるが、煮汁がマット上で拡散流動してその一部が円形孔側に流動し、上記同様に該円形孔から露呈しているトッププレートを汚損するといった問題点がある。
【０００６】
一方、トッププレート全面を被覆するように構成した防汚シートによれば、この防汚シートに表裏面に貫通する孔などが設けられていない限り、調理中の鍋からこぼれ落ちる煮汁によってトッププレートが汚損される虞れは生じないが、上記防汚シートは電磁誘導加熱調理器の加熱部を被覆する部分を除いて、その裏面にトッププレート上に剥離可能に貼着する粘着剤層を設けているので、防汚シートと加熱部との対向面間に、粘着剤層によって囲まれた薄い空間部が形成され、調理時の高熱によって該空間部内の空気が膨脹してその膨脹圧が防汚シート上に載置している鍋底周辺部のシート部分を上方に押し上げようとする圧力として集中的に作用することになる。
【０００７】
その上、防汚シートをトッププレート上に敷設するに際して、該トッププレートの表面にトッププレートを清掃した場合等による水分が残存していると、この水分が調理時の加熱によって蒸気となり、その蒸気圧が上記空気の膨脹圧と共に防汚シートの下面に作用して、粘着剤層の一部が加熱部周囲のトッププレート部分の上面から剥離し、その剥離した部分から空気の一部が防汚シートの下面側に潜り込むように侵入して防汚シートの一部を上方に膨出、変形させ、防汚シートに空気を封入した多数の膨らみが形成されて外観を著しく低下させるといった問題点があった。
【０００８】
本発明は上記のような問題点に鑑みてなされたもので、その目的とするところは、調理時において、鍋から煮汁が吹きこぼれても、上面に滞留させてトッププレートに流動、付着するのを確実に防止し、トッププレートの汚損をなくすことができると共に、調理時における高熱によってトッププレートの加熱部と該加熱部上に載置しているシート部分との空間部内の空気が膨脹しても、該空気をシート外に確実に逃がしてシートに膨らみ等が生じさせないようにした電磁誘導加熱調理器用シートを提供するにある。
【課題を解決するための手段】
【０００９】
上記目的を達成するために、本発明の電磁誘導加熱調理器用シートは、請求項１に記載したように、電磁誘導加熱調理器のトッププレートにおける加熱部を被覆可能な大きさに形成されている耐熱性合成樹脂シートからなる防汚マットと、この防汚マットよりも小径で且つ上記加熱部よりも大径の円形孔を設けていると共に上記トッププレート上に剥離可能に敷設するように形成した合成樹脂フィルムからなるシート本体とからなり、このシート本体における上記円形孔の周縁部上面に上記防汚マットの外周部下面を周方向に断続的に固着して、隣接する固着部間における上記円形孔の周縁部上面と上記防汚マットの外周部下面との対向面間に、上記円形孔内の空間部を外気に連通させる通気空隙部を設けてなる構造としている。
【００１０】
このように構成した電磁誘導加熱調理器用シートにおいて、請求項２に係る発明は、シート本体における円形孔の周縁部上面に防汚マットの外周部下面を周方向に断続的に固着させている上記固着部を粘着剤層によって形成し、隣接する粘着剤層間における上記円形孔の周縁部上面と上記防汚マットの外周部下面との対向面間に、粘着剤層の層厚に等しい通気空隙部を設けていることを特徴とする。
【００１１】
一方、請求項３に係る発明は、シート本体における円形孔の周縁部上面に防汚マットの外周部下面を周方向に断続的に固着させている上記固着部を融着部又は耐熱合成樹脂製留具から形成し、調理時に発生する円形孔内の空間部の空気膨脹圧によって隣接する固着部間における上記円形孔の周縁部上面と上記防汚マットの外周部下面との対向面間で形成される空気空隙部を拡開させるように構成している。
【００１２】
また、請求項４に係る発明は、電磁誘導加熱調理器のトッププレート全体を覆うことができる矩形状合成樹脂フィルムによってシート本体を形成し、このシート本体に、トッププレートに設けている複数個の加熱部にそれぞれ対応した複数個の円形孔を設けた構造としている。
【００１３】
さらに、請求項５に係る発明は、上記シート本体の下面に粘着剤層を介して離型フィルムを剥離可能に貼着している構成としている。
【発明の効果】
【００１４】
本発明の電磁誘導加熱調理器用シートによれば、シート本体に設けている円形孔上に、電磁誘導加熱調理器のトッププレートにおける加熱部を被覆可能な大きさに形成されている耐熱性合成樹脂シートからなる防汚マットを重ねて、この防汚マットの下面外周部を上記円形孔の周縁部上面に、周方向に断続的に固着することにより、隣接する固着部間に、上記円形孔内の空間部を外気に連通させる通気空隙部を設けているので、トッププレートの加熱部上に防汚マットを介して調理鍋を載置して加熱、調理する際に、防汚マットの下面とトッププレートの加熱部の上面間に設けられている円形孔の空間部内に空気の膨脹圧や、加熱部上に水分の存在した場合による蒸気圧が発生しても、これらの圧力を上記通気空隙部を通じてシート本体上面側から外気に円滑且つ確実に逃がすことができ、トッププレート上に剥離可能に貼着しているシート本体の下面に上記圧力空気が潜りこんで空気を封入した膨らみなどを発生させる虞れもなく、シート本体を常にトッププレート上に綺麗に敷設しておくことができる。
【００１５】
さらに、上記通気空隙部は、シート本体に設けている円形孔の周縁部上面と、この円形孔の周縁部上面に固着している防汚マットの外周部下面との対向面間に設けられているので、この防汚マットの外周部下面によって被覆された状態で該下面に沿ってシート本体の上面に向かって水平方向に開口した形態となっており、そのため、調理中に調理鍋から吹きこぼれた煮汁が調理鍋を伝って防汚マットの外周部上面に流下しても、トッププレートの加熱部側に流入する虞れはなく、また、防汚マットからシート本体の上面に拡散流動しても、上記通気空隙部は水平方向に設けられていてその上下開口幅は殆ど閉じられた状態の極めて狭い幅しか有していなく、且つ、調理時には防汚マットの下面とトッププレートの加熱部の上面間に形成されている空間部内に空気の膨脹圧が発生していることから、この空気空間部を通じて空間部内に流入する虞れはなく、従って、煮汁によるトッププレートの汚損を確実に防止することができる。
【００１６】
上記シート本体に設けている円形孔の周縁部上面と防汚マットの外周部下面とを周方向に断続的に固着させている固着部としては、請求項２に係る発明においては粘着剤層を採用してあり、従って、上記通気空隙部はこの粘着剤層の層厚に等しい上下開口幅でもって水平方向に開口した構造となって、調理時における上記円形孔の空間部内に空気の膨脹によって発生する圧力空気をこの通気空隙部を通じて外部に円滑且つ確実に逃がすことができ、シート本体の下面に空気の侵入による膨らみが発生する虞れはない。
【００１７】
一方、請求項３に係る発明によれば、上記固着部として、シート本体に設けている円形孔の周縁部上面と防汚マットの外周部下面とを周方向に断続的に熱融着してなる融着部、又は合成樹脂製ホッチキス等の耐熱合成樹脂製留具から形成しているので、通気空隙部を形成する円形孔の周縁部上面と防汚マットの外周部下面とが互いに接した状態となって常態においては通気空隙部が殆ど閉止した状態となっているが、調理時には、円形孔内の空間部に発生する空気膨脹圧によって該通気空隙部の上下対向面が拡げられて円形孔内の圧力空気を上記同様にこの通気空隙部を通じて外部に円滑且つ確実に逃がすことができ、シート本体の下面に空気の侵入による膨らみが発生する虞れはない。
【００１８】
また、シート本体としては、請求項４に記載したように、電磁誘導加熱調理器のトッププレート全体を覆うことができる矩形状合成樹脂フィルムから形成しておき、このシート本体に、トッププレートに設けている複数個の加熱部にそれぞれ対応した複数個の円形孔を設けてなる電磁誘導加熱調理器用シートであることが好ましく、このように構成しておくことによって、トッププレートの上面全面が調理時における煮汁等によって汚損されるのを確実に防止することができると共に、体裁のよい電磁誘導加熱調理器用シートを提供することができる。
【００１９】
請求項５に係る発明によれば、シート本体の下面に粘着剤層又は吸着層を介して離型フィルムを剥離可能に貼着しているので、使用時には離型フィルムを剥離することによって、シート本体をトッププレート上に粘着剤層又は吸着層を介して簡単に貼着することができる。
【発明を実施するための最良の形態】
【００２０】
本発明の具体的な実施の形態を図面について説明すると、図１は電磁誘導加熱調理器用シートの一部切欠斜視図、図２はその要部の断面図、図３は分解斜視図であって、シート本体１は、耐熱性を有する薄肉の非通気性軟質合成樹脂フィルムからなり、図４に示すように、電磁誘導加熱調理器10のトッププレート11を略全面的に被覆することができる大きさを有する矩形状に形成されていると共に、トッププレート11の上面（表面）における数カ所（図においては３箇所）に設けられている鍋底載置部となる円形状の各加熱部11a に対応させて該加熱部11a よりも大径の円形孔２、２、２を設けている。
【００２１】
さらに、上記シート本体１の各円形孔２を、シリコーン樹脂やフッ素樹脂等の耐熱性を有する合成樹脂シートからなる円形の防汚マット３によって塞ぐことにより、該防汚マット３によって上記トッププレート11における加熱部11a を被覆するように構成している。なお、合成樹脂シートとしては、耐熱性を有する合成樹脂繊維からなる不織布を熱圧して繊維同士を融着させることにより形成された非通気性シートであってもよい。本発明において「耐熱」とは、電磁誘導加熱調理器10の加熱部11aによる加熱によって溶融しないことをいう。
【００２２】
この防汚マット３は上記円形孔２よりも一回り大きい径に形成されてあり、円形孔２上に重ね合わせてその外周部下面を両面粘着テープなどの粘着剤層４を介して円形孔２の周縁部上面に一体に貼着していると共に、粘着剤層４は全周に亘って連続させることなく断続的に設けて周方向に隣接する粘着剤層４、４間に、上記円形孔２内の空間部からシート本体１の上面側における外部（外気）に連通する通気空隙部５を設けている。即ち、隣接する粘着剤層４、４の対向端面と、これらの対向端面間に露出している円形孔２の周縁部上面及び防汚マット３の外周部下面とで囲まれた空間部を上下開口幅が粘着剤層４の厚みに等しい上記通気空隙部５に形成している。なお、粘着剤層４に代えて接着剤層としてもよい。
【００２３】
また、上記シート本体１の下面に粘着剤層６を介して該シート本体１と同大、同形の離型フィルム７を剥離可能に貼着している。この離型フィルム７には、シート本体１に設けている各円形孔２に対応した部分にこれらの円形孔２と同大、同形の円形孔８を設けている。なお、シート本体１の下面に、粘着剤層６に代えて吸着層であってもよい。
【００２４】
上記吸着層は、例えば、（メタ）アクリル酸アルキルエステル−（メタ）アクリロニトリル共重合体エマルジョン、ウレタン系樹脂エマルジョン、アクリル系樹脂エマルジョン、アクリル−ウレタン系樹脂エマルジョンなどの合成樹脂エマルジョンに起泡剤、必要に応じて、起泡安定剤を添加したものをミキサーなどを用いて攪拌して発泡させた後にシート本体１の下面に塗布し、更に、塗布した合成樹脂エマルジョンの表面を一定厚みだけ除去した後に合成樹脂エマルジョンを乾燥させて形成することができる。
【００２５】
この吸着層はその表面に開口した無数の気泡を有しており、電磁誘導加熱調理器のトッププレート上に吸着層を押しつけて気泡内の空気を排除して気泡内を減圧状態とすることによって吸着層をトッププレート上に吸着させて電池誘導加熱調理器用シートを電磁誘導加熱調理器のトッププレート上に着脱自在に固定させることができる。
【００２６】
上述の如き吸着層をシート本体１の下面に形成しておくと、内部に無数の気泡を有する吸着層が断熱層の作用を奏し、電磁誘導加熱調理器のトッププレートからの熱がシート本体１に伝達されるのを防止或いは緩和することができ、シート本体１を構成する合成樹脂フィルムの耐熱性の度合いを緩和して材料選択の余地を広げることができると共に、使用中におけるシート本体１の熱による変形を確実に防止することができる。
【００２７】
このように構成した電磁誘導加熱調理器用シートは、そのシート本体１の下面から上記離型フィルム７を剥離したのち、図４に示すように、電磁誘導加熱調理器10のトッププレート11上に剥離可能に貼着、敷設する。この際、トッププレート11における上記各加熱部11a に対応したシート本体１の円形孔２を、加熱部11a にそれぞれ合わせて各円形孔２に臨んでいる加熱部11a を防汚マット３によって被覆させた状態にする。このように、電磁誘導加熱調理器シートを電磁誘導加熱調理器10のトッププレート11上に粘着剤層６を介して貼着、敷設すると、シート本体１の各円形孔２内には、防汚マット３とトッププレート11の加熱部11a との対向面間で囲まれた空間部９（図５に示す）が形成され、この空間部９は上記粘着剤層４、４間の通気空隙部５のみを通じて外部（外気）に連通した状態となっている。
【００２８】
なお、電磁誘導加熱調理器10はＩＨ調理器とも呼ばれており、その基本的な構造は耐衝撃性に優れた硬質セラミックからなる上記トッププレート11の下方に磁力発生コイル（図示せず）を配設し、この磁力発生コイルの上方に上記加熱部11a を設けなるもので、この加熱部11a 上に調理鍋12（図５に示す）を載置して上記磁力発生コイルに通電すると、磁力線が発生してこの磁力線が鉄等の金属製の調理鍋12を通過する時に渦電流が誘電され、該鍋12の電気抵抗によって鍋12が発熱するように構成されている。
【００２９】
上記のように構成した電磁誘導加熱調理器用シートをトッププレート11上に敷設した状態にしてこの電磁誘導加熱調理器用シートにおける上記防汚マット３上に調理鍋12を載置し、該調理鍋12を加熱しながら調理を行っている時に、調理鍋12から煮汁が吹き出して調理鍋12の表面を伝って流動し、該調理鍋12の外底面から電磁誘導加熱調理器10の加熱部11a における外周部上方に流下しても、加熱部11a が電磁誘導加熱調理器用シートにおける防汚マット３によって被覆されているから、煮汁が加熱部11a に付着することなく、防汚マット３の上面外周部に滞留して加熱部11a を煮汁によって汚損される虞れはない。
【００３０】
さらに、調理中に調理鍋12から煮汁が吹きこぼれて防汚マット３の外周方に飛散、流下しても、トッププレート11はシート本体１によって全面的に被覆されているから、トッププレート11上に煮汁が付着することなくシート本体１上に滞留してトッププレート11が煮汁で汚損されるのを防止することができる。
【００３１】
また、シート本体１に設けている円形孔２内の空間部９は、該円形孔２の周縁部上面と防汚マット３の外周部下面とを断続的に接着させている隣接する粘着剤層４、４間に設けられた通気空隙部５を通じて外部に連通しているので、加熱した調理鍋12からの伝熱によって上記空間部９内の空気が加熱、膨脹し、さらには、トッププレート11上に存在している水滴等の水分の蒸散によって膨脹圧や蒸気圧が発生しても、その圧力を上記通気空隙部５を通じてシート本体１の上面側から外気に逃がすことができ、従って、空間部９内の圧気によるシート本体１の部分的な剥離を防止してシート本体１の裏面側に空気溜まり等が生じるのを防止することができる。
【００３２】
なお、上記実施例においてはシート本体１に設けている円形孔２内の空間部９から外部に通じる通気空隙部５を、円形孔２の周縁部上面と防汚マット３の外周部下面とを断続的に接着している粘着剤層４によって形成しているが、図６、図７に示すように、シート本体１における上記円形孔２の周縁部上面に防汚マット３の外周部下面を粘着剤層４に代えて融着部4'を介して一体に固着していると共にこの融着部4'を周方向に断続的に設けて、隣接する融着部4'、4'間に上記円形孔２内からシート本体１の上面側における外部に連通する通気空隙部５を設けた構造としておいてもよく、また、図示していないが、シート本体１における円形孔２の周縁部上面と防汚マット３の外周部下面とを耐熱性を有する合成樹脂製ホッチキス等の留具によって固着して隣接する留具間に上記通気空隙部５を設けるように形成しておいてよい。要するに、シート本体１における上記円形孔２の周縁部上面に上記防汚マット３の外周部下面を周方向に断続的に固着して、隣接する固着部間における上記円形孔２の周縁部上面と上記防汚マット３の外周部下面との対向面間に、上記円形孔２内の空間部９を外気に連通させる通気空隙部５を設けておけばよい。
【００３３】
なお、上記固着部として、上記融着部4'や耐熱合成樹脂製留具を採用した場合、隣接する固着部間における上記円形孔２の周縁部上面と上記防汚マット３の外周部下面との対向面が常態においては接した状態となって、通気空隙部５が殆ど閉止した形態となるが、調理時に発生する円形孔２内の空間部９の空気膨脹圧により、隣接する固着部間における上記円形孔２の周縁部上面と上記防汚マット３の外周部下面との対向面が押し拡げられて通気空隙部５が拡開し、空間部９内に発生する圧力空気をこの通気空隙部５を通じて外気に逃がすことができる。周方向に隣接する固着部間の間隔は、適宜に設定すればよい。又、図６、図７においては、離型フィルム７の図示を省略しているが、上記実施例と同様にシート本体１の裏面に剥離可能に貼着しているものである。
【００３４】
次に、上記実施例においては、シート本体１を電磁誘導加熱調理器10のトッププレート11を略全面的に被覆可能な大きさに形成しているが、トッププレート11に設けている上記一つの加熱部11a 上に敷設するように構成しておいてもよい。
【００３５】
図８、図９はその実施例を示すもので、電磁誘導加熱調理器10のトッププレート11における一つの加熱部11a の周囲を全面的に被覆することができる大きさを有する平面矩形状の耐熱性を有する軟質合成樹脂フィルムからなるシート本体1'の中央部に、上記加熱部11a よりも僅かに大径の円形孔2'を設けていると共に、この円形孔2'を、シリコーン樹脂やフッ素樹脂等の耐熱性を有する合成樹脂シートからなる円形の防汚マット3'によって塞ぐことにより、該防汚マット3'によって上記トッププレート11における加熱部11a を被覆するように構成している。
【００３６】
この防汚マット3'は、上記実施例と同様に、円形孔2'よりも一回り大きい径に形成されてあり、円形孔2'上に重ね合わせてその外周部下面を粘着剤層４を介して円形孔2'の周縁部上面に一体に固着していると共に、粘着剤層４は全周に亘って連続させることなく断続的に設けて周方向に隣接する粘着剤層４、４間に、上記円形孔2'内の空間部からシート本体1'の上面側における外部（外気）に連通する通気空隙部５を設けてなり、さらに、シート本体1'の下面に粘着剤層又は吸着層６を介して該シート本体1'と同大、同形の離型フィルム7'を剥離可能に貼着している。この離型フィルム7'には、シート本体1'に設けている円形孔2'に対応した部分にこれらの円形孔2'と同大、同形の円形孔8'を設けている。なお、上記粘着剤層４に代えて、上記同様に融着部4'や耐熱合成樹脂製留具を採用してもよい。
【００３７】
このように構成した電磁誘導加熱調理器用シートは、その裏面に貼着している離型フィルム7'を剥離したのち、電磁誘導加熱調理器10のトッププレート11における所望の加熱部11a を被覆するように貼着、敷設され、調理時においけ調理鍋から吹き出す煮汁によって該加熱部11a が汚損されるのを防止する。具体的な作用効果については、上記図１〜図５に示した電磁誘導加熱調理器用シートと同様であるので、その説明を省略する。
【図面の簡単な説明】
【００３８】
【図１】電磁誘導加熱調理器用シートの一部切欠斜視図。
【図２】その要部の断面図。
【図３】分解斜視図。
【図４】トッププレート上に敷設した状態の簡略斜視図。
【図５】調理鍋を載置している状態な要部の拡大縦断正面図。
【図６】電磁誘導加熱調理器用シートの変形例を示す斜視図。
【図７】その要部の断面図。
【図８】本発明の別な実施例を示す分解斜視図。
【図９】その縦断正面図。
【符号の説明】
【００３９】
１  シート本体
２  円形孔
３  防汚マット
４  粘着剤層
５  通気空隙部
６  粘着剤層
７  離型フィルム
９  空間部
10  電磁誘導加熱調理器
11  トッププレート
11a   加熱部
12  調理鍋
【図１】
2010067356.tif 000003
【図２】
2010067356.tif 000004
【図３】
2010067356.tif 000005
【図４】
2010067356.tif 000006
【図５】
2010067356.tif 000007
【図６】
2010067356.tif 000008
【図７】
2010067356.tif 000009
【図８】
2010067356.tif 000010
【図９】
2010067356.tif 000011